(57)【要約】【課題】乗客コンベアの利用者に対し、当該利用者の関心が高いと推察される情報を確実に提供することができる乗客コンベアの広告システムの提供。【解決手段】本発明は、エレカレータ１の利用者２に対して関心が高いと推察される情報を広告として表示するものであり、利用者２の映像を撮影する映像入力手段３と、この映像入力手段３で撮影された映像に基づいて、利用者２の特徴、及び行動を解析し、利用者２を特定する解析手段４と、この解析手段４で解析された結果に基づいて、利用者２の関心が高いと推察される情報を分析する分析手段５と、この分析手段５で分析された情報を、利用者２がエスカレータ１を利用している間継続的に、利用者２の視野内に表示させる表示装置６を備えている。【選択図】図１
2016175750.tif 000002
【特許請求の範囲】
【請求項１】
乗客コンベアの利用者に対して関心が高いと推察される情報を広告として表示する乗客コンベアの広告システムにおいて、
前記利用者の映像を撮影する映像入力手段と、
前記映像入力手段で撮影された映像に基づいて、前記利用者の特徴、及び行動を解析し、前記利用者を特定する解析手段と、
前記解析手段で解析された結果に基づいて、前記利用者の関心が高いと推察される情報を分析する分析手段と、
前記分析手段で分析された情報を、前記利用者が前記乗客コンベアを利用している間継続的に、前記利用者の視野内に表示させる表示装置を備えたことを特徴とする乗客コンベアの広告システム。
【請求項２】
請求項１に記載の乗客コンベアの広告システムにおいて、
前記解析手段で解析される前記利用者の特徴は、性別、推定される年齢、及び体型を含むことを特徴とする乗客コンベアの広告システム。
【請求項３】
請求項２に記載の乗客コンベアの広告システムにおいて、
前記解析手段は、解析した情報を記憶する記憶部を有することを特徴とする乗客コンベアの広告システム。
【請求項４】
請求項１〜３のいずれか１項に記載の乗客コンベアの広告システムにおいて、
前記分析手段は、分析した情報を記憶する記憶部を有することを特徴とする乗客コンベアの広告システム。
【請求項５】
請求項１に記載の乗客コンベアの広告システムにおいて、
前記表示装置を、前記乗客コンベアに備えたことを特徴とする乗客コンベアの広告システム。
【請求項６】
請求項５に記載の乗客コンベアの広告システムにおいて、
前記表示装置を、移動手摺に設けたことを特徴とする乗客コンベアの広告システム。
【発明の詳細な説明】
【技術分野】
【０００１】
本発明は、関心が高いと推察される情報を、乗客コンベアを利用する利用者に提供することができる乗客コンベアの広告システムに関する。
【背景技術】
【０００２】
従来、エスカレータを利用するユーザが所持している携帯端末に蓄積された当該ユーザの商品購入履歴などの情報を抽出し、当該ユーザの関心が高いと思われる情報を広告として乗客コンベア付近に表示させる技術が、特許文献１に開示されている。
【０００３】
また従来、カメラなどの映像入力装置で撮影した映像から、エスカレータを利用し、エスカレータの側面に固定配置された表示装置を視聴する視聴者の特徴を解析し、その視聴者の特徴にあった情報をエスカレータの表示装置において、視聴者が表示装置の前を通過するときに表示する技術が、特許文献２に開示されている。
【先行技術文献】
【特許文献】
【０００４】
【特許文献１】特開２００９−２１０８８７号公報
【特許文献２】特開２０１１−２７９７７号公報
【発明の概要】
【発明が解決しようとする課題】
【０００５】
特許文献１に開示された従来技術は、前述のようにエスカレータを利用するユーザが所持している携帯端末から、当該ユーザが商品を購入した履歴などの情報を抽出して、ユーザの関心が高いと思われる情報を広告として表示するものであるため、例えばそのユーザが携帯端末を所持していなければ、そのユーザの関心が有る情報を表示することができない。また、表示する情報は、ユーザが過去に購入した履歴から情報を抽出し解析した情報であるため、必ずしもユーザが今現在関心を持っている情報とは限らない。
【０００６】
また、特許文献２に開示された従来技術は、カメラなどの映像入力装置で撮影した映像に基づく視聴者の性別や年齢や体型から、視聴者の特徴を解析して、視聴者の特徴にあった情報を、エスカレータの側面に固定配置された表示装置の前を通過するときに表示するものであり、すなわち、視聴者の性別や年齢や体型から視聴者の特徴を解析するため、視聴者の外見上の特徴しか解析することができない。したがって、必ずしも視聴者の関心が高いと思われる情報を提供できるとは限らない。また、この従来技術は、表示装置の前を通過する短い時間しか情報を表示しないため、視聴者に情報を確実に提供することは難しい。
【０００７】
本発明は、前述した従来技術における実情からなされたもので、その目的は、乗客コンベアの利用者に対し、当該利用者の関心が高いと推察される情報を確実に提供することができる乗客コンベアの広告システムを提供することにある。
【課題を解決するための手段】
【０００８】
前記目的を達成するために、本発明に係る乗客コンベアの広告システムは、乗客コンベアの利用者に対して関心が高いと推察される情報を広告として表示する乗客コンベアの広告システムにおいて、前記利用者の映像を撮影する映像入力手段と、前記映像入力手段で撮影された映像に基づいて、前記利用者の特徴、及び行動を解析し、前記利用者を特定する解析手段と、前記解析手段で解析された結果に基づいて、前記利用者の関心が高いと推察される情報を分析する分析手段と、前記分析手段で分析された情報を、前記利用者が前記乗客コンベアを利用している間継続的に、前記利用者の視野内に表示させる表示装置を備えたことを特徴としている。
【発明の効果】
【０００９】
本発明に係る乗客コンベアの広告システムは、乗客コンベアの利用者が当該乗客コンベアを利用している間継続的に、解析手段で解析した当該乗客コンベアの利用者の特徴及び行動に基づいて分析手段で分析した当該利用者の関心が高いと推察される情報を、乗客コンベアの利用者に対し表示装置を介して確実に提供することができる。これにより本発明は、乗客コンベアの利用者に対する優れた広告の提供を実現させることができ、乗客コンベアの利用者に対するサービス性を従来よりも向上させることができる。
【図面の簡単な説明】
【００１０】
【図１】本発明に係る乗客コンベアの広告システムの一実施形態の構成を示す図である。
【図２】図１に示す乗客コンベアを構成するエスカレータに、利用者が乗り込んだ状態を示す斜視図である。
【発明を実施するための形態】
【００１１】
以下、本発明に係る乗客コンベアの広告システムの実施の形態を図面に基づいて説明する。
【００１２】
図１，２に示すように、本発明に係る広告システムの一実施形態が適用される乗客コンベアは、例えばエスカレータ１であり、このエスカレータ１は商業施設などの建物内に設置されている。
【００１３】
本実施形態に係る広告システムは、エスカレータ１の利用者２を撮影する複数の映像入力手段３と、これらの映像入力手段３で撮影した映像に基づいて利用者２の特徴及び行動を解析し、利用者２を特定する解析手段４とを備えている。
【００１４】
また、本実施形態は、解析手段４で解析した結果に基づいて、利用者２の関心が高いと推察される情報を分析する分析手段５を備えている。
【００１５】
また、本実施形態は、分析手段５で分析した情報を、利用者２がエスカレータ１を利用している間継続的に、利用者２の視野内に表示する表示装置６を備えている。
【００１６】
前述した解析手段４で解析される利用者２の特徴は、性別、推定年齢、及び体型を含んでいる。この解析手段４で解析された情報は、例えばこの解析手段４に内蔵される記憶部に記憶されるようになっている。
【００１７】
前述した分析手段５で分析された情報も、例えばこの分析手段５に内蔵される記憶部に記憶されるようになっている。
【００１８】
前述のように、複数の映像入力手段３で利用者２を撮影することにより、利用者２の行動を追跡することができる。この利用者２を行動追跡した映像に基づいて、解析手段４で行動解析することにより、その利用者２をより精度良く特定できる。また、今現在興味を持ち、関心が高いと推察される情報が何であるかを、解析手段４で解析した情報に基づいて分析手段５によって分析することが可能となる。
【００１９】
解析手段４で解析した情報をこの解析手段４の記憶部に蓄積させておき、また、分析手段５で分析した情報をこの分析手段５の記憶部に記憶させておくことにより、利用者２が当該商業施設に再度再訪した際に、前述の蓄積された情報を参照して当該利用者２に対する精度の高い情報を得ることができる。
【００２０】
前述した分析手段５で分析した情報を表示する表示装置６は、例えばエスカレータ１の上方位置に配置してあり、エスカレータ１の移動手摺７に分析手段５で分析した情報を投射表示させるものから成っている。
【００２１】
このように構成した本実施形態に係る広告システムによれば、エスカレータ１の利用者２がエスカレータ１を利用している間継続的に、解析手段４で解析したエスカレータ１の利用者２の特徴及び行動に基づいて分析手段５で分析した利用者２の関心が高いと推察される情報を、表示装置５からエスカレータ１の移動手摺７に投射して、エスカレータ１の利用者２に対し確実に提供することができる。これにより本実施形態は、エスカレータ１の利用者２に対する優れた広告の提供を実現させることができ、エスカレータ１の利用者２に対するサービス性を向上させることができる。
【００２２】
なお、本発明に係る広告システムは、前述した実施形態に限られず、様々な態様を取り得る。例えば、乗客コンベアがエスカレータ１でなく、平坦状、あるいは傾斜状の電動道路であってもよい。また、有機ＥＬから成る複数の表示装置を、乗客コンベアの例えば移動手摺７に設ける構成としてもよい。
【符号の説明】
【００２３】
１    エスカレータ（乗客コンベア）
２    利用者
３    映像入力手段
４    解析手段
５    分析手段
６    表示装置
７    移動手摺
【図１】
2016175750.tif 000003
【図２】
2016175750.tif 000004